(57)【特許請求の範囲】
【請求項１】
コンタクトレンズを安定化させるための方法において、安定化ゾーンパラメーターのセットを有するレンズ設計を提供し、数学的構造としてのレンズ設計パラメーターの特性に基づいて、改善された安定化を有するコンタクトレンズ設計を作成することと、運動量モーメントの平衡をとるモデルを用いて、前記設計をモデル化することと、前記モデル化の結果に基づいて、前記設計を選択することと、を含み、前記設計をモデル化し選択することが反復され、眼構造の影響をシミュレートする仮想モデルが、コンタクトレンズ設計を検証するために使用され、前記数学的構造がベジェ曲線係数を含み、最初のモデルによって得られたのと同じ厚さの差分を維持しつつ、厚さの薄い上部周辺領域をもたらす、方法。
【請求項２】
まばたきが、前記眼構造の１つであり、前記安定化スキームをこれに応じて調整する、請求項１に記載の方法。
【発明の詳細な説明】
【背景技術】
【０００１】
特定の視覚欠損は、円筒型、二焦点、若しくは多焦点の特性等の、非球状補正物の態様をコンタクトレンズの１つ又は２つ以上の面に応用することで補正可能である。これらのレンズが効果的であるためには、眼上にある間、概して特定の方向で維持される必要がある。レンズの眼上での方向の維持は通常、レンズの機械的特性を変えることによって行われる。レンズの後面に対する前面の偏心、下方レンズ周辺部の厚さの増大、レンズ表面上における俯角又は仰角の形成、及びレンズ縁部の切断を含むプリズムの安定化は、安定化アプローチの例である。更に、薄いゾーン、又は、レンズ周辺部の厚さが減少する領域を使用することによってレンズを安定化させる動的安定化が用いられている。通常、薄いゾーンは、その眼上配置の観点から、レンズの垂直軸線又は水平軸線のいずれかに対して対称である２つの領域に位置付けられる。
【０００２】
レンズ設計を評価することは、眼上でのレンズの性能に関して判断すること、並びにその後、必要かつ可能な場合に、その設計を最適化することを伴う。このプロセスは、通常、試験設計を患者において臨床的に評価することによって行われる。しかしながら、このプロセスは、患者間の変動性が考慮されなければならないために、かなりの数の患者が試験される必要があるため、時間と費用がかかる。
【発明の概要】
【発明が解決しようとする課題】
【０００３】
特定のコンタクトレンズの安定化を改善すること、及びそれらを設計する方法に対して、継続的必要性がある。
【課題を解決するための手段】
【０００４】
本発明は、安定化ゾーンが数学的構造によって定義される、安定化コンタクトレンズを設計する方法である。その構造は、ベジェ曲線であってもよい。
【０００５】
本発明の一態様において、レンズは、角の厚さプロファイルの上部を記述するベジェ曲線係数を使用して設計され、そのためサグ値が低減される。安定化ゾーンがレンズ周辺部に追加される際、レンズ上部の厚さは、増加される代わりに減少され、安定化の上部の厚さを減少させることは、最大厚を減少させながらも、同一の厚さの差分を保つことを可能にする。最大厚の位置の周囲の傾斜は、このプロファイル変更にそれほど影響されない。
【０００６】
本発明の別の態様において、低減サグ値を有する領域は、安定化ゾーンの上部及び下部に適用される。
【０００７】
本発明の更に別の態様において、安定化ゾーンの最大厚は、左側と右側との間で異なる。
【０００８】
本発明の更に別の態様において、正及び／又は負の角度に対する厚さプロファイルの傾斜面は、傾斜面角度を増加又は低下させるように調整され得る。
【０００９】
本発明の更に別の態様において、設計方法に従って作製されるレンズは、改善された安定化を有する。
【図面の簡単な説明】
【００１０】
【図１】安定化コンタクトレンズの正面図又はオブジェクト図。
【図２Ａ】回転の軸線及びレンズで作用する様々なトルクを特定する、レンズが挿入された状態の眼の略図。
【図２Ｂ】回転の軸線及びレンズで作用する様々なトルクを特定する、レンズが挿入された状態の眼の略図。
【図２Ｃ】回転の軸線及びレンズで作用する様々なトルクを特定する、レンズが挿入された状態の眼の略図。
【図３Ａ】ベジェ曲線から得られた新しい厚さプロファイル。
【図３Ｂ】ベジェ曲線から得られた新しい厚さプロファイル。
【図４Ａ】実施例１に対するレンズ厚マップ及び厚さプロファイルのグラフ。
【図４Ｂ】実施例１に対するレンズ厚マップ及び厚さプロファイルのグラフ。
【図５Ａ】実施例２に対するレンズ厚マップ及び厚さプロファイルのグラフ。
【図５Ｂ】実施例２に対するレンズ厚マップ及び厚さプロファイルのグラフ。
【図６Ａ】実施例３に対するレンズ厚マップ及び厚さプロファイルのグラフ。
【図６Ｂ】実施例３に対するレンズ厚マップ及び厚さプロファイルのグラフ。
【図７Ａ】実施例４に対するレンズ厚マップ及び厚さプロファイルのグラフ。
【図７Ｂ】実施例４に対するレンズ厚マップ及び厚さプロファイルのグラフ。
【発明を実施するための形態】
【００１１】
本発明のコンタクトレンズは、レンズ上で作用する、様々な力の平衡をとることに基づいて、安定化を最適化させる設計を有する。これは、眼上で働くトルク、眼の構成要素、及び最終的には眼上に配置される安定化レンズの平衡をとる設計プロセスの適用を伴う。好ましくは、改善された安定化は、安定化の要素を含む公称設計を有する改善プロセスの開始によって実現される。例えば、中心を通る水平軸線及び垂直軸線の両方に対して対称である２つの安定化ゾーンを有するレンズ設計は、本発明の方法に従ってレンズの安定化を最適化するために、有用な参照である。「安定化ゾーン」とは、周辺ゾーンのその他の領域よりも大きな厚さ値を有するレンズの周辺ゾーンの領域を意味する。「周辺ゾーン」とは、レンズの視覚ゾーンを周囲方向に囲み、レンズの縁部は含まずに、そこまで延在するレンズ表面の領域を意味する。安定化ゾーンを有しない周辺ゾーンは通常、回転対称面、好ましくは球面を備えるであろう。有用な開始点である別の安定化設計は、参照により本明細書に組み込まれる、米国特許公開第２００５０２３７４８２号に記載されるが、いずれの安定化設計も、後に本発明に従って最適化される、公称設計として使用され得る。安定化設計の改善プロセスはまた、以下に記載される眼モデルを用いて改善を試験すること、試験の結果を評価すること、及び所望のレベルの安定化が達成されるまで改善プロセスを反復して継続することを取り入れることができる。
【００１２】
図１は、安定化レンズの正面、又はオブジェクト側面の表面を描写する。レンズ１０は、視覚ゾーン１１を有する。レンズの周辺部は、視覚ゾーン１１を囲む。２つの厚い範囲１２が、周辺部に位置付けられており、安定化ゾーンである。
【００１３】
本プロセスにおいて、好ましくは新しい設計を製造するために使用されるモデルは、機械的操作及びレンズ安定性への効果をシミュレートする、様々な要因及び想定を取り入れる。好ましくは、このモデルは、よく知られているプログラミング技術に従って、標準的なプログラミング及びコーディング技術を使用する、ソフトウェアまで単純化される。概観において、本モデルは、眼の規定数のまばたきにおいて以下に説明される力の適用をシミュレートすることによって、安定化レンズを設計するためのプロセスにおいて使用される。レンズが回転及び偏心する角度は、適宜決定される。設計は、次いで、回転及び／又は中心化をより望ましいレベルにすることを目的とする手法で変えられる。次いで、所定数のまばたき後にまばたきすると、並進を判定するために再度モデルにかけられる。
【００１４】
モデルは、眼が、好ましくは角膜及び強膜を表す少なくとも２つの球面部からなり、ｘ−ｙ−ｚ座標軸の原点が、角膜を表す球体の中心にあることを想定する。非球面等のより複雑な表面もまた、使用され得る。レンズのベース形状は球面部からなるが、レンズのベースカーブ半径は、レンズの中心から縁部に向かって変化することが可能である。２つ以上のベースカーブが、後面を描くために使用されてもよい。眼上に位置されるレンズは、眼の形状と同一の形状をとることが想定される。レンズの厚さ分布は、必ずしも回転対称である必要はなく、実際に、本発明のレンズの幾つかの好ましい実施形態によると対称的ではない。レンズ縁部の厚いゾーンは、レンズの位置挙動及び方向挙動を制御するために使用されてもよい。均一の薄い液体被膜（涙液膜）が、通常の厚さが１〜７μｍ、好ましくは５μｍで、レンズと眼との間に存在する。この涙液膜は、レンズ後方涙液膜と呼ばれる。レンズ縁部において、レンズと眼との間の液膜の厚さはより小さく、ムチン涙液膜と称される。通常の厚さが１〜１０μｍ、好ましくは５．０μｍの均一の薄い液体被膜（また、涙液膜）が、レンズと下瞼及び上瞼との間に存在し、これらはレンズ前方涙液膜と称される。下瞼及び上瞼の両方の境界は、ｘ−ｙ平面内の単位法線ベクトルを有する平面内にある。したがって、ｚ軸に垂直な平面上のこれらの境界の射影は、直線である。この想定はまた、瞼の動作中にもなされる。上瞼は、コンタクトレンズ上に均一の圧力をかける。この均一圧力は、上瞼によって被覆されたコンタクトレンズの全域又は上瞼の境界付近のこの領域の一部に、均一幅でかけられる（平面に対して垂直な方向で、瞼の縁部を描く曲線を通して測定される）。下瞼は、コンタクトレンズ上に均一の圧力をかける。この圧力は、下瞼によって被覆されたコンタクトレンズの全域にかけられる。瞼によってコンタクトレンズにかけられた圧力は、コンタクトレンズの、特に縁部付近の不均一な厚さ分布（厚いゾーン）を通してレンズで作用するトルクに貢献する。コンタクトレンズで作用するトルクに対するこの圧力効果は、メロンの種効果（melon seed effect）と称される。レンズが眼に対して動く場合、粘性摩擦がレンズ後方涙液膜内に存在する。レンズが眼に対して動く場合、粘性摩擦はまた、レンズ縁部と眼との間のムチン涙液膜内にも存在する。更に粘性摩擦は、レンズが動く及び／又は瞼が動く場合、レンズ前方涙液膜内に存在する。レンズ内の負担及び圧迫は、レンズの変形に起因して起こる。これらの負担及び圧迫は、レンズの弾性エネルギー量に繋がる。レンズが眼に対して動き、レンズの変形が変化するにつれて、弾性エネルギー量が変化する。レンズは、弾性エネルギー量が最小である位置にある傾向がある。
【００１５】
眼の形状（角膜及び強膜）、レンズのベース形状、及び瞼の動作を示すパラメーターが、図２に示される。レンズの動作は、レンズで作用する運動量モーメントの平衡から得られる。慣性効果は無視される。次いで、レンズで作用するすべてのモーメントの合計はゼロになる。したがって、次のようになる。
【数１】
0006000853.tif 000002
【００１６】
最初の４つのモーメントは、トルクに抵抗しており、レンズの動作に直線的に依存する。残りのトルクは駆動トルクである。運動量モーメントのこの平衡は、レンズの位置βに対する非線形一次微分方程式をもたらす。
【数２】
0006000853.tif 000003
【００１７】
この等式は、４次ルンゲ・クッタ積分スキームを用いて解かれる。コンタクトレンズ上の点の位置は、回転ベクトルβ（ｔ）の周りの回転から得られる。点の古い位置を現在の位置に変換する回転マトリックスＲ（ｔ）は、ロドリゲスの公式から得られ、
【数３】
0006000853.tif 000004
式中、
【数４】
0006000853.tif 000005
である。
【００１８】
数値積分法において、時間離散化が使用される。次いで、レンズの動作は多数の後続回転として見ることができ、したがって、次の時間ステップ
【数５】
0006000853.tif 000006
において、回転マトリックスは、次のようになり、
【数６】
0006000853.tif 000007
式中、
【数７】
0006000853.tif 000008
が、時間ステップ
【数８】
0006000853.tif 000009
の間の回転である。
【００１９】
回転マトリックスは、レンズの回転
【数９】
0006000853.tif 000010
と、偏心
【数１０】
0006000853.tif 000011
に分解される。
【数１１】
0006000853.tif 000012
【００２０】
レンズの回転は、レンズの中心線を中心とする回転である。偏心は、（ｘ，ｙ）平面内の線を中心とする回転である。したがって、レンズの位置は、偏心
【数１２】
0006000853.tif 000013
に続くレンズの中心線を中心とするレンズの回転
【数１３】
0006000853.tif 000014
として見られる。
【００２１】
この設計は、１つ又は２つ以上の数学的構造を使用して設計の詳細を記述することによって、上述されたモデルを使用して作製又は最適化される。好ましくは、安定化ゾーンは、ベジェ曲線を使用して記述されるが、他の数学的記述が、安定化ゾーンの全記述を得るために使用されてもよい。ベジェ曲線のアプローチが使用される場合、半径方向の厚さプロファイルを記述する動径関数Ａｒ（ｔｒ）が、好ましくは５つの制御点を使用して定義される。角の厚さプロファイルを記述する角関数Ｂα（ｔα）もまた、５つの制御点を使用して定義される。例えば、数学的記述は次のように公式化され得、
【数１４】
0006000853.tif 000015
式中、Ｐｒｉ（ｘ）及びＰｒｉ（ｙ）が、制御点の座標であり、ｔｒは、半径方向プロファイルに沿って正規化された座標である。半径方向の厚さプロファイルを記述する始点は、Ｐｒ１によって定義され、終点はＰｒ５によって定義される。
【数１５】
0006000853.tif 000016
式中、Ｐαｉ（ｘ）及びＰαｉ（ｙ）が、制御点の座標であり、ｔαは、角プロファイルに沿って正規化された座標である。角の厚さプロファイルを記述する始点は、Ｐα１によって定義され、終点は、Ｐα５によって定義される。
【００２２】
Ｃ（ｔｒ，ｔα）（３）によって記述される安定化ゾーンの規模は、動径関数Ａｒ，ｙ掛ける角度関数Ｂα，ｙの積から得られる。倍率Ｍが、安定化ゾーンの規模を制御するために、２つの関数の積に適用される。
【数１６】
0006000853.tif 000017
【００２３】
これらの等式は、いずれの数の制御点にも拡張され得る。その場合、等式は以下のように書き換えられ得る。
【数１７】
0006000853.tif 000018
【００２４】
異なる関数群が、左の安定化ゾーンから右の安定化ゾーンを記述するために使用され、非対称の安定化ゾーン設計を得てもよい。
【００２５】
本発明の好ましい実施形態において、角の厚さプロファイルの上部を記述するベジェ曲線の係数は、サグ値が低減されるように設定される。安定化ゾーンがレンズの周辺部に追加される特定の事例において、レンズ上部の厚さは増加される代わりに減少される。図３Ａ及び３Ｂは、安定化ゾーンの上部において厚さを減少させることの効果を示す。それは、最大厚を減らしながらも同一の厚さ差分を保つことを可能にする。最大厚位置の周囲の傾斜は、このプロファイル変更にそれほど影響されない。
【００２６】
好ましくは、本発明は、例えば、参照によりその全体が本明細書に組み込まれる、米国特許第５，６５２，６３８号、同第５，８０５，２６０号、及び同第６，１８３，０８２号に開示されているような安定化された乱視用レンズ又は乱視用多焦点レンズを設計し、そして製造するために用いられる。
【００２７】
更に別の代替方法として、本発明のレンズは、高次眼収差、角膜トポグラフィーデータ、又はその両方の補正を取り入れてもよい。かかるレンズの例は、参照によりその全体が本明細書に組み込まれる、米国特許第６，３０５，８０２号及び同第６，５５４，４２５号に見出される。
【００２８】
更に別の代替方法として、本発明のレンズは、美容上魅力的にするために、眼上で特定の方向に据えられる必要のある、薄い色付きの模様等、美容的な特徴を取り入れてもよい。
【００２９】
本発明のレンズは、メガネレンズ、コンタクトレンズ、及び眼内レンズを非限定的に含む眼科用レンズを製造するのに好適な任意のレンズ成形材料から製造されてもよい。ソフト・コンタクトレンズを形成するための例示的な材料には、例えば、限定することなく、シリコーンエラストマー、シリコーン含有マクロマー、例えば、限定することなく、米国特許第５，３７１，１４７号、同第５，３１４，９６０号、及び同第５，０５７，５７８号（これらは、本明細書において参照により全体が組み込まれる）に開示されているもの、ヒドロゲル、シリコーン含有ヒドロゲルなど、及びこれらの組み合わせが挙げられる。より好ましくは、表面はシロキサンであるか、又は、ポリジメチルシロキサンマクロマー、メタクリルオキシプロピルポリアルキルシロキサン及びそれらの混合物、シリコーンヒドロゲル若しくはエタフィルコンＡなどのヒドロゲルを含むがこれらに限定されないシロキサン官能基を含む。
【００３０】
レンズ材料の硬化は、任意の便宜のよい方法で行うことができる。例えば材料を型に入れ、熱、放射線、化学物質、電磁放射線硬化など、及びこれらの組み合わせによって硬化させることができる。好ましくは、コンタクトレンズの実施形態では、紫外線を使用して又は可視光線のフルスペクトルを使用して成型が行われる。より具体的には、レンズ材料を硬化させる好適な正確な条件は、選択した材料及び形成すべきレンズによって決定される。好適なプロセスは、米国特許第５，５４０，４１０号に開示されている。なおこの文献は、本明細書において参照により全体が組み込まれている。
【００３１】
本発明のコンタクトレンズは、あらゆる好都合な方法で製造され得る。このような方法の１つは、ＶＡＲＩＦＯＲＭ（商標）アッタチメントを備えるＯＰＴＯＦＯＲＭ（商標）旋盤を使用して、金型インサートを作製する。この成型インサートを使用して、型を作製する。その後、好適な液体樹脂を金型間に配置した後に、樹脂を圧縮及び硬化させて、本発明のレンズを形成する。当業者は、あらゆる既知の方法を用いて本発明のレンズを製造することができることを認識するであろう。
【００３２】
ここで、本発明について、以下の非限定的な実施例を参照して更に説明することにする。
【実施例】
【００３３】
（実施例１）
既知の設計を有し、以下の入力設計パラメーターを用いる従来のレンズ設計ソフトウェアを使用して設計された、乱視患者用のコンタクトレンズが得られた。
−度数：−３．００Ｄ
−乱視度数：−０．７５Ｄ
−乱視軸：１８０度
−レンズ直径：１４．５０ｍｍ
−前方視覚ゾーンの直径８．５０ｍｍ
−後方視覚ゾーンの直径１１．３５ｍｍ
−レンズのベースカーブ：８．５５ｍｍ
【００３４】
レンズの元の厚さプロファイルは、周辺ゾーンにおいて回転対称である。安定化ゾーンは、レンズの厚さプロファイルに追加される特別厚いゾーンである。左及び右の安定化ゾーンは、前述の数学関数に適用される１セットの制御点（表１）を使用して構成される。レンズの厚さプロファイルは、図４に示される。
【表１】
0006000853.tif 000019
【００３５】
（実施例２）
実施例１に説明されたレンズは、０．２５ｍｍで押し出される安定化ゾーンの半径方向配置を有し、選択された処方については、視覚ゾーンの直径は、９．００ｍｍ拡張された。左及び右の安定化ゾーンは、前述された数学的関数に適用された、表２に示される１セットの制御点を使用して構成された。安定化ゾーンの上部の厚さは、増加する代わりに減少した。乱視用コンタクトレンズは、通常従来の単焦点レンズに供給されるものに相当する視覚ゾーンを有する。上述の眼モデルを使用してのレンズの中心化及び回転のモデル化は、レンズの性能が、安定化ゾーンの再配置によって有意に影響されなかったことを示した。レンズの厚さプロファイルは、図５に示される。
【表２】
0006000853.tif 000020
【００３６】
（実施例３）
実施例１において説明されたレンズは、左の安定化ゾーンの規模が、４０マイクロメートルまで減少されるように、本発明の方法を使用して再設計された。左及び右の安定化ゾーンは、前述の数学関数に適用された、表３に示される１セットの制御点を使用して構成された。
【００３７】
厚さにおける非対称の導入は、両方の眼上で同一の回転性能を保つために、左眼及び右眼に対して異なる設計を必要とする。眼モデルからの結果は、最厚の安定化ゾーンが上部位置から下部位置へ回転する必要がある場合、そのような設計のよりよい回転性能を示した。レンズの厚さプロファイルは、図６に示される。
表４：実施例３に適用された制御点
【表３】
0006000853.tif 000021
【００３８】
（実施例４）
実施例１のレンズ設計は、左の安定化ゾーンの規模が、４０マイクロメートルまで減少されるように修正された。左及び右の安定化ゾーンは、前述の数学関数に適用された、表４に示される１セットの制御点を使用して構成された。安定化ゾーンの上部及び下部の厚さは、増加される代わりに減少され、安定化ゾーンの上部及び下部で厚さを減少させ、類似の厚さ差分を保持しながらも最大厚を減少させた。レンズの厚さプロファイルは、図７に示される。
【表４】
0006000853.tif 000022
【００３９】
本明細書に記載される眼モデルを利用して、実施例１、２、及び３からのレンズは、４０〜５０度の不均衡範囲を中心に、最適な回転速度を示す。これらの実施例からの設計は、特注の視力補正レンズ等、レンズ方向が水平軸線に沿った安定化ゾーンの非対称に起因して一方向性である、レンズ方向に依存する視覚を有するレンズに好ましい。それらのレンズはまた、従来の市販レンズと比較すると、最終位置から２０度以内のレンズ方向に対して、高い回転速度を提示する。更なる特注化は、左及び右の安定化ゾーンが非対称である実施例３から得られてもよい。これらの設計及びレンズは、（既存の市販レンズと比較して）その最終位置から３０度以内のレンズ方向に対して、より大きな回転速度を提示する。
【００４０】
安定化ゾーンにおける厚さの減少は、厚さの差分の規模が、安定化の規模が実施例１から実施例２に１０％減少された図１及び２を用いて示されるように保たれた場合、回転においてレンズの性能に影響を与えなかった。実施例２のレンズ設計は、従来の製品と比較して約２０％減少された、最大安全化ゾーン厚を有し、レンズを着用者により快適なものにする。
【００４１】
実施例４のレンズのモデル化は、よりゆっくりとした回転速度だが、レンズ方向に対しては少ない回転速度偏差を示した。実施例４からの設計は、レンズ方向が、安全化ゾーンの設計において保たれる対称性のために二方向性である、乱視用レンズ等、レンズの方向に依存しない視覚を有するレンズに好ましい。
【００４２】
〔実施の態様〕
（１）  コンタクトレンズを安定化させるための方法であって、安定化ゾーンパラメーターの公称セットを有するレンズ設計を提供し、数学的構造としてのレンズ設計パラメーターの特性に基づいて、改善された安定化を有するコンタクトレンズ設計を作成することと、運動量モーメントの平衡をとるモデルを用いて、前記設計をモデル化することと、前記モデル化の結果に基づいて、前記設計を選択することと、を含む、方法。
（２）  工程ｂ及びｃが、反復的に行われる、実施態様１に記載の方法。
（３）  眼構造の影響をシミュレートする仮想モデルが、コンタクトレンズ設計を検証するために使用される、実施態様２に記載の方法。
（４）  まばたきが、前記眼構造の１つであり、前記安定化スキームを適宜調整する、実施態様３に記載の方法。
（５）  前記数学的構造が、ベジェ曲線である、実施態様１に記載の方法。
（６）  少なくとも４つの座標点を有する、実施態様５に記載の方法。
（７）  実施態様１に記載の方法に従って作製される、コンタクトレンズ。
（８）  実施態様２に記載の方法に従って作製される、コンタクトレンズ。
（９）  実施態様３に記載の方法に従って作製される、コンタクトレンズ。
（１０）  前記安定化ゾーンの角プロファイルが、低減した厚さ（negative thickness）を有する１つ又は２つ以上の区分によって画成される、実施態様７に記載のコンタクトレンズ。
【００４３】
（１１）  前記安定化ゾーンの最大厚を含む前記角プロファイルに沿った最大の低減厚さ値が、０．０１０ｍｍ〜０．０６０ｍｍであり、好ましくはおおよそ０．０２５ｍｍである、実施態様１０に記載のコンタクトレンズ。
（１２）  前記安定化ゾーンの最厚部分が、水平線よりも１５度〜３５度下、好ましくはおおよそ２５度に位置付けられる、実施態様７に記載のコンタクトレンズ。
（１３）  左の安定化ゾーンと右の安定化ゾーンとの間の厚さの差分が、０．０２０ｍｍ〜０．０４５ｍｍの範囲であり、好ましくはおおよそ０．０３０ｍｍである、実施態様７に記載のコンタクトレンズ。
（１４）  回転速度が、前記レンズの方向が最終静止位置から３０度以内であるときに最適化される、実施態様７に記載のコンタクトレンズ。
【図１】
0006000853.tif 000023
【図２Ａ】
0006000853.tif 000024
【図２Ｂ】
0006000853.tif 000025
【図２Ｃ】
0006000853.tif 000026
【図３Ａ】
0006000853.tif 000027
【図３Ｂ】
0006000853.tif 000028
【図４Ａ】
0006000853.tif 000029
【図４Ｂ】
0006000853.tif 000030
【図５Ａ】
0006000853.tif 000031
【図５Ｂ】
0006000853.tif 000032
【図６Ａ】
0006000853.tif 000033
【図６Ｂ】
0006000853.tif 000034
【図７Ａ】
0006000853.tif 000035
【図７Ｂ】
0006000853.tif 000036